(57)【要約】 【課題】  使用者が指を直接触れることなくエレベーターのボタン等を操作することができると共に、普段使いにおける装飾性に優れた指輪を提供する。【解決手段】  指輪１０は、指が挿入されるリング部１と、指紋が形成されている指の表面を当接可能な当接面２ａを備えた指当て部２と、リング部１と指当て部２とを連結するアーム部３と、リング部１に固定される装飾部４とを有しており、指当て部２の当接面２ａが、凹状の曲面にて形成されている。【選択図】図１
0003231175.tif 000002
【実用新案登録請求の範囲】
【請求項１】
指が挿入されるリング部と、
指紋が形成されている指の表面を当接可能な当接面を備えた指当て部と、
前記リング部と前記指当て部とを連結するアーム部と、
前記リング部に固定される装飾部と、を有し、
前記指当て部の当接面が、凹状の曲面にて形成されていることを特徴とする指輪。
【請求項２】
指に装着した状態で、指の第１関節と第２関節の間に装飾部が位置するようにしたことを特徴とする請求項１に記載の指輪。
【請求項３】
指当て部は、長手方向の中間点を平面に接地した場合に、長手方向のリング部に近い側の一方の端部と前記中間点を結んだ線と平面上の直線とがなす角は、長手方向のリング部に遠い側の他方の端部と前記中間点を結んだ線と前記平面上の直線とがなす角よりも小さいことを特徴とする請求項１又は２に記載の指輪。
【請求項４】
指当て部は、平面視した場合に、装着される指の長手方向の長さが指の幅方向の長さよりも長い略スプーン形状であって、長手方向のリング部に近い側の一方の端部側に切欠き部が形成されていることを特徴とする請求項１〜３のいずれか１項に記載の指輪。
【請求項５】
指当て部の当接面とは反対側の裏面は、凸状の曲面であることを特徴とする請求項１〜４のいずれか１項に記載の指輪。
【請求項６】
指当て部の当接面とは反対側の裏面に、アーム部の一端が固定されていることを特徴とする請求項１〜５のいずれか１項に記載の指輪。
【請求項７】
リング部の頂部又は頂部近傍に装飾部が固定されていると共に、前記リング部の下部又は下部近傍に、アーム部の他端が固定されていることを特徴とする請求項１〜６のいずれか１項に記載の指輪。
【請求項８】
指当て部は、金属で形成されていることを特徴とする請求項１〜７のいずれか１項に記載の指輪。
【請求項９】
アーム部は、側面視した場合に、下に凸の略Ｕ字形状であって、変形可能であることを特徴とする請求項１〜８のいずれか１項に記載の指輪。
【請求項１０】
リング部は、一端と、他端とを有するリング状に形成されていると共に、前記一端と前記他端とは固着されておらず、直径が拡大又は縮小する方向に変形可能であることを特徴とする請求項１〜９のいずれか１項に記載の指輪。
【請求項１１】
リング部を正面視した場合には、縦長の略楕円形状に形成されていることを特徴とする請求項１〜１０のいずれか１項に記載の指輪。
【考案の詳細な説明】
【技術分野】
【０００１】
本考案は、指の表面が当接可能な当接面を備えた指輪に関するものである。
【背景技術】
【０００２】
従来から、指先を保護する指先保護具が知られている（特許文献１）。また、使用者の指が直接タッチパネルに触れることなくタッチパネルを操作可能な指先タッチペンが知られている（特許文献２）。
【０００３】
特許文献１に記載の指先保護具は、作業用手袋と共に使用され、複数の指に装着するものであって、袋状に形成されており、かつ、装着する各指の先端部から第１関節の手前までを覆うものであった。また、特許文献２に記載の指先タッチペンは、矩形平板状の基体板に半円状に形成した複数の側板の一端を接続して当該基体板上部に筒状空間を形成し、さらに、使用者の指とタッチパネルとの間に介在して静電容量方式のタッチパネルを操作可能な第１タッチパネル操作部と抵抗膜方式のタッチパネルを操作可能な第２タッチパネル操作部を備えているものであった。
【先行技術文献】
【特許文献】
【０００４】
【特許文献１】実用新案登録第３１８８６８５号公報
【特許文献２】特開２０２０−１７７３９９号公報
【考案の概要】
【考案が解決しようとする課題】
【０００５】
特許文献１に記載の指先保護具は、指先を保護するという点においては優れているものの、普段使いを目的とするものではないため、見栄えを考慮しているものではなかった。また、特許文献２に記載の指先タッチペンもタッチパネルを操作可能という機能性に優れているものではあるが、第１タッチパネル操作部と第２タッチパネル操作部を出し入れする作業を必要とするものであり、普段使いの見栄えを考慮しているものでもなかった。
【０００６】
本考案は、前記従来の課題を解決するものであり、使用者が指を直接触れることなくエレベーターのボタン等を操作することができると共に、普段使いにおける装飾性に優れた指輪を提供することを目的とする。
【課題を解決するための手段】
【０００７】
前記従来の課題を解決するために、請求項１の指輪の考案は、指が挿入されるリング部と、指紋が形成されている指の表面を当接可能な当接面を備えた指当て部と、前記リング部と前記指当て部とを連結するアーム部と、前記リング部に固定される装飾部と、を有し、前記指当て部の当接面が、凹状の曲面にて形成されていることを特徴としている。
【０００８】
請求項１の考案では、指当て部を使用者の指先にフィットさせることができると共に、当該指当て部でエレベーターのボタン等を操作することができるので、使用者の指が直接エレベーターのボタン等に触れることを防止して、感染症の予防を行うことができる。また、リング部に装飾部が固定されているので、普段使いにおける装飾性に優れた指輪とすることができる。また、リング部と指当て部とをアーム部で連結する構成としているので、機能性及びデザイン性に優れた指輪とすることができる。
【０００９】
請求項２の考案は、請求項１の考案において、指に装着した状態で、指の第１関節と第２関節の間に装飾部が位置するようにしたことを特徴としている。したがって、一層優れた見栄えとすることができる。また、本件指輪とは別の指輪を指の付け根近傍に装着して楽しむこともできる。
【００１０】
請求項３の考案は、請求項１又は２の考案において、指当て部は、長手方向の中間点を平面に接地した場合に、長手方向のリング部に近い側の一方の端部と前記中間点を結んだ線と平面上の直線とがなす角は、長手方向のリング部に遠い側の他方の端部と前記中間点を結んだ線と前記平面上の直線とがなす角よりも小さいことを特徴としている。したがって、装着時に指先に抵抗を感じることなくスムーズに装着することができる。
【００１１】
請求項４の考案は、請求項１〜３のいずれかの考案において、指当て部は、平面視した場合に、装着される指の長手方向の長さが指の幅方向の長さよりも長い略スプーン形状であって、長手方向のリング部に近い側の一方の端部側に切欠き部が形成されていることを特徴としている。したがって、装着時に指先に抵抗を感じることなくスムーズに装着することができる。
【００１２】
請求項５の考案は、請求項１〜４のいずれかの考案において、指当て部の当接面とは反対側の裏面は、凸状の曲面であることを特徴としている。したがって、指当て部を平面に対して点接触させることができるので、タッチしたい箇所にピンポイントで接触させることができる。
【００１３】
請求項６の考案は、請求項１〜５のいずれかの考案において、指当て部の当接面とは反対側の裏面に、アーム部の一端が固定されていることを特徴としている。したがって、指がアーム部に接触することなく装着することができる。
【００１４】
請求項７の考案は、請求項１〜６のいずれかの考案において、リング部の頂部又は頂部近傍に装飾部が固定されていると共に、前記リング部の下部又は下部近傍に、アーム部の他端が固定されていることを特徴としている。したがって、装飾部によって見栄えを良くすることができると共に、指がアーム部に接触することなく装着することができる。
【００１５】
請求項８の考案は、請求項１〜７のいずれかの考案において、指当て部は、金属で形成されていることを特徴としている。したがって、静電容量方式のタッチパネル等の操作を容易に行うことができる。
【００１６】
請求項９の考案は、請求項１〜８のいずれかの考案において、アーム部は、側面視した場合に、下に凸の略Ｕ字形状であって、変形可能であることを特徴としている。したがって、指がアーム部に接触することなく装着することができると共に、指当て部とリング部との間の長さを調節することができる。
【００１７】
請求項１０の考案は、請求項１〜９のいずれかの考案において、リング部は、一端と、他端とを有するリング状に形成されていると共に、前記一端と前記他端とは固着されておらず、直径が拡大又は縮小する方向に変形可能であることを特徴としている。したがって、リング部を使用者の指の太さに合わせてその場で調節することができる。
【００１８】
請求項１１の考案は、請求項１〜１０のいずれかの考案において、リング部を正面視した場合には、縦長の略楕円形状に形成されていることを特徴としている。したがって、装着時に、使用者の指の側部が指当て部の当接面に対向する位置にくるようにリング部から挿入すれば、挿入し易くなると共に、その後で指輪を９０度回転させることによって、指紋が形成されている指の表面を指当て部の当接面に確実に当接させることができる。
【考案の効果】
【００１９】
請求項１の考案は、指当て部を使用者の指先にフィットさせることができると共に、当該指当て部でエレベーターのボタン等を操作することができるので、使用者の指が直接エレベーターのボタン等に触れることを防止して、感染症の予防を行うことができる。また、普段使いにおける装飾性、機能性及びデザイン性に優れた指輪とすることができる。
【００２０】
請求項２の考案は、一層優れた見栄えとすることができると共に、本件指輪とは別の指輪を指の付け根近傍に装着して楽しむこともできる。また、請求項３及び４の考案は、装着時に指先に抵抗を感じることなくスムーズに装着することができる。また、請求項５の考案は、指当て部をタッチしたい箇所にピンポイントで接触させることができる。
【００２１】
請求項６及び７の考案は、指がアーム部に接触することなく装着することができる。また、請求項８の考案は、静電容量方式のタッチパネル等の操作を容易に行うことができる。また、請求項９の考案は、指がアーム部に接触することなく装着することができると共に、指当て部とリング部との間の長さを調節することができる。
【００２２】
請求項１０の考案は、リング部を使用者の指の太さに合わせてその場で調節することができる。また、請求項１１の考案は、指をリング部に挿入し易くすると共に、指紋が形成されている指の表面を指当て部の当接面に確実に当接させることができる。
【図面の簡単な説明】
【００２３】
【図１】本考案に係る指輪の斜視図
【図２】本考案に係る指輪の正面図
【図３】本考案に係る指輪の背面図
【図４】本考案に係る指輪の平面図
【図５】本考案に係る指輪の底面図
【図６】本考案に係る指輪の右側面図
【図７】図４のＡ−Ａ断面図
【図８】本考案に係る指輪の使用状態を示す斜視図
【図９】本考案に係る指輪の使用状態を示す斜視図
【考案を実施するための形態】
【００２４】
以下、本考案の実施形態について、図面を参照しながら説明する。なお、この実施の形態によって本考案が限定されるものではない。図１は、本考案に係る指輪の斜視図であり、図２は、正面図、図３は、背面図、図４は、平面図、図５は、底面図、図６は、右側面図である。これらの図を用いて本考案に係る指輪の詳細について以下に説明する。
【００２５】
本考案に係る指輪１０は、指が挿入されるリング部１と、指紋が形成されている指の表面を当接可能な当接面２ａを備えた指当て部２と、リング部１と指当て部２とを連結するアーム部３と、リング部１に固定される装飾部４とを有しており、指当て部２の当接面２ａが、凹状の曲面にて形成されている。上記構成により、指当て部２を使用者の指先にフィットさせることができると共に、指当て部２でエレベーターのボタン等を操作することができるので、使用者の指が直接エレベーターのボタン等に触れることを防止して、感染症の予防を行うことができる。また、リング部１に装飾部４が固定されているので、普段使いにおける装飾性に優れた指輪１０とすることができる。また、リング部１と指当て部２とをアーム部３で連結する構成としているので、機能性及びデザイン性に優れた指輪とすることができる。
【００２６】
指当て部２は、平面視した場合に、装着される指の長手方向の長さが指の幅方向の長さよりも長い略スプーン形状であって、長手方向のリング部１に近い側の一方の端部側に切欠き部２ｄが形成されている。この切欠き部２ｄが形成されていることによって、装着時に指先に抵抗を感じることなくスムーズに装着することができる。尚、指当て部は、金属で形成されるのが好ましい。これにより、静電容量方式のタッチパネル等の操作を容易に行うことができる。また、指当て部２の周縁には、面取り部２ｆが形成されており、使用者の指が傷つかないようにしている。
【００２７】
指当て部２の当接面２ａとは反対側の裏面２ｅは、凸状の曲面で形成されている。これにより、指当て部２を平面に対して点接触させることができるので、タッチしたい箇所にピンポイントで接触させることができる。また、指当て部２の当接面２ａとは反対側の裏面２ｅに、アーム部３の一端３ａが固定されているので、指がアーム部３に接触することなく装着することができる。
【００２８】
リング部１の頂部１ａ又は頂部近傍に装飾部４が固定されるようにしていると共に、リング部１の下部１ｂ又は下部近傍に、アーム部３の他端３ｂが固定されるようにしている。これにより、装飾部４によって見栄えを良くすることができると共に、指がアーム部３に接触することなく装着することができる。
【００２９】
アーム部３は、側面視した場合に、下に凸の略Ｕ字形状であって、変形可能としている。即ち、浅いＵ字形状に変形すれば、アーム部３の長さを長くすることができ、深いＵ字形状に変形すれば、アーム部３の長さを短くすることができる。これにより、指がアーム部３に接触することなく装着することができると共に、指当て部２とリング部１との間の長さを調節することができる。
【００３０】
リング部１は、一端１ｃと、他端１ｄとを有するリング状に形成されていると共に、一端１ｃと他端１ｄとは固着されておらず、直径が拡大又は縮小する方向に変形可能としている。これにより、リング部１を使用者の指の太さに合わせてその場で調節することができる。
【００３１】
リング部１を正面視した場合には、縦長の略楕円形状に形成されている。これにより、装着時に、使用者の指の側部が指当て部２の当接面２ａに対向する位置にくるようにリング部１から挿入すれば、挿入し易くなる。また、その後、指輪１０を９０度回転させることによって、指紋が形成されている指の表面を指当て部２の当接面２ａに確実に当接させることができる。
【００３２】
図７は、図４のＡ−Ａ断面図である。この図に示すように、指当て部２は、長手方向の中間点Ｘを平面に接地した場合に、長手方向のリング部に近い側の一方の端部２ｂと中間点Ｘを結んだ線Ａと平面上の直線Ｙとがなす角Ｃは、長手方向のリング部に遠い側の他方の端部２ｃと中間点Ｘを結んだ線Ｂと平面上の直線Ｙとがなす角Ｄよりも小さくなるように形成されている。尚、中間点Ｘは、中間点Ｘを含む平面上の直線Ｙに一方の端部２ｂから下ろした垂線が交わる点Ｆと、直線Ｙに他方の端部２ｃから下ろした垂線が交わる点Ｅとの中間に位置する点である。このように指当て部２を形成することによって、装着時に指先に抵抗を感じることなくスムーズに装着することができると共に、指紋が形成されている指の表面に指当て部２の当接面２ａを密着させることができる。
【００３３】
図８及び図９は、本考案に係る指輪の使用状態を示す斜視図である。これらの図に示すように、指輪１０を指Ｇに装着した状態で、指の第１関節Ｈと第２関節Ｉの間に装飾部４が位置するようにしている。尚、指の長さは個人差があるが、前述した変形可能なアーム部の長さを調節して、好みの位置に装飾部を配置させることができる。これにより、一層優れた見栄えとすることができる。また、指輪１０とは別の指輪を先に指Ｇの付け根近傍に装着しておけば、さらに一層華やかな見栄えとすることができる。
【００３４】
また、図９に示すように、指輪１０を指Ｇに装着した状態で、スマートフォン５のタッチパネル５ａに指当て部２を接触させてスクロール等の操作を行うことができる。また、指輪１０を装着した状態で、平面方向（爪側）から指Ｇを視た場合には、指当て部２の大部分は視認されず、面取り部２ｆが確認できる程度なので、優れた見栄えとなっている。
【産業上の利用可能性】
【００３５】
本考案に係る指輪は、使用者の指に装着されて指先を保護することができる装飾品として利用される。
【符号の説明】
【００３６】
１  リング部
１ａ  頂部
１ｂ  下部
１ｃ  一端
１ｄ  他端
２  指当て部
２ａ  当接面
２ｂ  一方の端部
２ｃ  他方の端部
２ｄ  切欠き部
２ｅ  裏面
２ｆ  面取り部
３  アーム部
３ａ  アーム部の一端
３ｂ  アーム部の他端
４  装飾部
１０  指輪
【図１】
0003231175.tif 000003
【図２】
0003231175.tif 000004
【図３】
0003231175.tif 000005
【図４】
0003231175.tif 000006
【図５】
0003231175.tif 000007
【図６】
0003231175.tif 000008
【図７】
0003231175.tif 000009
【図８】
0003231175.tif 000010
【図９】
0003231175.tif 000011